(57)【要約】【課題】出光面での表面反射を抑制しつつ、入光面とは反対側の末端からの漏れ光を防止できる導光板及び面光源装置を提供する。【解決手段】面光源装置１は、光源２と、光源２の下方に設けられて該光源２からの光を面状に出射するための導光板３とを備える。導光板３は、光源２からの光が入射する入光面３１と、入光面３１とは反対側の対向面３２と、入光面３１と直交する方向に配置されて入光面３１から入射した光を面状に出射する出光面３３とを有する。導光板３は、出光面３３から出射される光の輝度分布が、入光面３１側から対向面３２側に行くにつれて減少し且つ対向面３２で輝度がほぼ０になるように、形成されている。【選択図】図２
2018206564.tif 000002
【特許請求の範囲】
【請求項１】
光が入射する入光面と、前記入光面に交差する方向に配置されて前記入光面から入射した光を面状に出射する出光面とを有する導光板であって、
前記出光面から出射される光の輝度分布が、前記入光面側からその反対側に行くにつれて減少し、且つその反対側の末端で輝度がほぼ０になるようにされていることを特徴とする導光板。
【請求項２】
該導光板の内部には、光散乱材が分散されており、
前記光散乱材の分散濃度が、前記入光面側からその反対側に行くにつれて減少する請求項１に記載の導光板。
【請求項３】
前記出光面には、光散乱材を含む光散乱層が設けられており、
前記光散乱層における光散乱材の濃度が、前記入光面側からその反対側に行くにつれて減少する請求項１に記載の導光板。
【請求項４】
前記出光面は、凹凸面であり、前記入光面側からその反対側に行くにつれてその凹凸の散乱機能が小さくなる請求項１に記載の導光板。
【請求項５】
前記入光面の反対側には、該入光面と対向する対向面が設けられており、
前記対向面には、光吸収層又は光反射層が設けられている請求項１〜４のいずれか一項に記載の導光板。
【請求項６】
前記出光面及び該出光面とは反対側の裏面の少なくとも一方には、無反射層又は低反射層が設けられている請求項１〜５のいずれか一項に記載の導光板。
【請求項７】
前記出光面から前記裏面までの距離は、前記入光面側からその反対側に行くにつれて減少する請求項６に記載の導光板。
【請求項８】
前記出光面から前記裏面までの距離の減少率が、少なくとも一部の範囲で漸減する請求項７に記載の導光板。
【請求項９】
前記入光面の反対側には、該入光面と対向する対向面が設けられており、
前記対向面は、前記出光面の反対側に向かって傾斜するようにテーパ状にされている請求項１〜４のいずれか一項に記載の導光板。
【請求項１０】
前記出光面には、光を透過する意匠シートが設けられている請求項１〜９のいずれか一項に記載の導光板。
【請求項１１】
請求項１〜１０のいずれか一項に記載の導光板と、
前記入光面と対面する位置に設けられ、前記入光面に光を照射する光源と、
を備えることを特徴とする面光源装置。
【請求項１２】
前記導光板の裏面側には、化粧シートが設けられている請求項１１に記載の面光源装置。
【請求項１３】
前記導光板は、前記裏面と前記化粧シートとの間に隙間が生じないように設けられている請求項１２に記載の面光源装置。
【発明の詳細な説明】
【技術分野】
【０００１】
本開示の実施形態は、導光板及び面光源装置に関する。
【背景技術】
【０００２】
面光源装置は、大別すると、光学部材の直下に光源を配置する直下型と、光学部材の側端面に光源を配置するエッジライト型に分類されている。エッジライト型の面光源装置は、直下型の面光源装置と比べて薄型化が可能となる点において優れている。
【０００３】
特許文献１に開示されたエッジライト型の面光源装置は、透光性の高いアクリル樹脂等で形成された導光板と、導光板の側端面（すなわち、入光面）に対面して配置された光源と、導光板の表面（すなわち、出光面）に対面して配置された拡散板と、導光板の裏面に配置されるとともに酸化チタン等の光拡散反射物質を含む散乱パターンと、を備えている。この面光源装置では、導光板の入光面から入射した光は、導光板の出光面と空気層との界面、又は導光板の裏面と空気層との界面で全反射を繰り返しながら、入光面側から該入光面の反対側へ向かう。そして、光が導光板の裏面に配置された散乱パターンに入射すると、該散乱パターンに含まれる光拡散反射物質で導光板の出光面に反射拡散され、該出光面から拡散板へ向かって出射する。
【先行技術文献】
【特許文献】
【０００４】
【特許文献１】特開平９−１７８９５２号公報
【発明の概要】
【発明が解決しようとする課題】
【０００５】
最近では、空間の雰囲気を演出してユーザに落ち着き感や快適感などを与える、いわゆる空間演出照明が注目されている。上述した面光源装置を空間演出照明に適用すると、以下の問題点が生じている。すなわち、出光面から出射する光の輝度の段差があるので、該出光面を正面から見たときに表面反射が発生する。また、入光面とは反対側の導光板の末端から光が外部に漏れる現象も生じている。このため、空間の雰囲気の演出に大きく影響を与える。
【０００６】
本開示の実施形態は、上記の点に鑑みてなされたものであり、出光面での表面反射を抑制しつつ、入光面とは反対側の末端からの漏れ光を防止できる導光板及び面光源装置を提供することを目的とする。
【課題を解決するための手段】
【０００７】
本開示の実施形態に係る導光板は、光が入射する入光面と、前記入光面に交差する方向に配置されて前記入光面から入射した光を面状に出射する出光面とを有する導光板であって、前記出光面から出射される光の輝度分布が、前記入光面側からその反対側に行くにつれて減少し、且つその反対側の末端で輝度がほぼ０になるようにされていることを特徴としている。
【０００８】
本開示の一実施形態に係る導光板において、該導光板の内部には、光散乱材が分散されており、前記光散乱材の分散濃度が、前記入光面側からその反対側に行くにつれて減少することが好ましい。
【０００９】
本開示の一実施形態に係る導光板において、前記出光面には、光散乱材を含む光散乱層が設けられており、前記光散乱層における光散乱材の濃度が、前記入光面側からその反対側に行くにつれて減少することが好ましい。
【００１０】
また、本開示の一実施形態に係る導光板において、前記出光面は、凹凸面であり、前記入光面側からその反対側に行くにつれてその凹凸の散乱機能が小さくなることが好ましい。
【００１１】
また、本開示の一実施形態に係る導光板において、前記入光面の反対側には、該入光面と対向する対向面が設けられており、前記対向面には、光吸収層又は光反射層が設けられていることが好ましい。
【００１２】
更に、本開示の一実施形態に係る導光板において、前記出光面及び該出光面とは反対側の裏面の少なくとも一方には、無反射層又は低反射層が設けられていることが好ましい。
【００１３】
更に、本開示の一実施形態に係る導光板において、前記出光面から前記裏面までの距離は、前記入光面側からその反対側に行くにつれて減少することが好ましい。
【００１４】
更に、本開示の一実施形態に係る導光板において、前記出光面から前記裏面までの距離の減少率が、少なくとも一部の範囲で漸減することが好ましい。
【００１５】
更に、本開示の一実施形態に係る導光板において、前記入光面の反対側には、該入光面と対向する対向面が設けられており、前記対向面は、前記出光面の反対側に向かって傾斜するようにテーパ状にされていることが好ましい。
【００１６】
更に、本開示の一実施形態に係る導光板において、前記出光面には、光を透過する意匠シートが設けられていることが好ましい。
【００１７】
本開示の実施形態に係る面光源装置は、上述の導光板と、前記入光面と対面する位置に設けられ、前記入光面に光を照射する光源と、を備えることを特徴としている。
【００１８】
本開示の一実施形態に係る面光源装置において、前記導光板の裏面側には、化粧シートが設けられていることが好ましい。
【００１９】
また、本開示の一実施形態に係る面光源装置において、前記導光板は、前記裏面と前記化粧シートとの間に隙間が生じないように設けられていることが好ましい。
【発明の効果】
【００２０】
本開示によれば、出光面での表面反射を抑制しつつ、入光面とは反対側の末端からの漏れ光を防止することができる。
【図面の簡単な説明】
【００２１】
【図１】第１実施形態の面光源装置を示す断面図である。
【図２】導光板内の散乱粒子の分布及び輝度分布を示す模式図である。
【図３】導光板の変形例を示す断面図である。
【図４】導光板の変形例を示す断面図及び正面図である。
【図５】導光板の変形例を示す断面図である。
【図６】第２実施形態の面光源装置を示す断面図である。
【図７】第３実施形態の面光源装置を示す断面図である。
【図８】第４実施形態の面光源装置を示す断面図である。
【図９】第５実施形態の面光源装置を示す断面図である。
【図１０】第６実施形態の面光源装置を示す断面図である。
【図１１】第７実施形態の面光源装置を示す断面図である。
【発明を実施するための形態】
【００２２】
以下、図面を参照して本開示の実施形態について説明する。図面の説明において同一の要素には同一符号を付し、重複する説明は省略する。なお、本件明細書に添付する図面においては、図示と理解のしやすさの便宜上、適宜縮尺及び縦横の寸法比等を実物のそれら変更し誇張してある。
【００２３】
また、本明細書において用いる、形状や幾何学的条件並びにそれらの程度を特定する、例えば、「直交」等の用語については、厳密な意味に縛られることなく、同様の機能を期待し得る程度の範囲を含めて解釈することとする。
【００２４】
さらに、本明細書において、「板」と「シート」、「層」と「シート」の用語は、呼称の違いのみに基づいており、互いに区別されるものではない。例えば、「板」はシートと呼ばれ得るような部材も含む概念である。したがって、「導光板」とは、「導光シート」と呼称の相違のみにおいて区別されない。また、「光散乱層」とは、「光散乱シート」と呼称の相違のみにおいて区別されない。
【００２５】
＜第１実施形態＞
図１は第１実施形態の面光源装置を示す断面図である。本実施形態の面光源装置１は、エッジライト型の面光源装置であるが、通常の照明器具として用いられるものとは異なり、空間演出照明に用いられるものであり、空間の雰囲気を演出し、ユーザに優しい光空間を与える装置である。
【００２６】
この面光源装置１は、例えば部屋の壁Ｗに取り付けられており、長尺状の光源２と、光源２の下方に設けられて該光源２からの光を面状に出射するための導光板３とを備えている。光源２には、発光ダイオード（ＬＥＤ）、冷陰極管、白熱電球、レーザー発振装置等を用いることができるが、装置全体の小型化を図り易くする観点から、本実施形態では点状のＬＥＤが用いられている。従って、本実施形態の光源２は、長尺状の光源基板と、該光源基板に一定の間隔で実装された複数の点状ＬＥＤとからなる。
【００２７】
図１に示すように、光源２は補助建材４によって保持されている。補助建材４は、天井（図示せず）と壁Ｗとのつなぎ目を覆い、意匠性を向上させる部材である。補助建材４として、「回り縁」や「幅木」と呼ばれる部材を用いることができる。この補助建材４は、例えば接着、ネジ止め等で壁Ｗに固定されている。
【００２８】
導光板３は、矩形状の薄板を呈しており、互いに対向する一対の主面と、一対の主面の間に画成された４つの側端面とを有する。導光板３は、４つの側端面のうちの一つが光源２と対面するように、光源２の下方に配置されている。そして、この光源２と対面する側端面は、光源２からの光が入射する入光面３１とされている。該入光面３１とは反対側（すなわち、光源２から離れる側）の側端面は、入光面３１と対向する対向面３２である。この対向面３２は、特許請求の範囲に記載の入光面の「反対側の末端」に相当するものである。
【００２９】
一方、一対の主面のうち、部屋の内部に面する主面（言い換えれば、壁Ｗから離れた主面）は出光面３３とされ、該出光面３３とは反対側の主面（すなわち、壁Ｗに隣接する主面）は裏面３４とされている。出光面３３は、入光面３１と直交（すなわち、９０°で交差する）しており、入光面３１から入射した光を部屋の内部に向かって出射する。導光板３は、例えば透光性の高いアクリル樹脂等の樹脂材料によって形成されている。
【００３０】
なお、図示しないが、導光板３の出光面３３側には該出光面３３と対面する光拡散シート、裏面３４側には該裏面３４と対面する光反射シートがそれぞれ設けられても良い。光拡散シートには、光拡散機能を発揮し得る種々の構成を採用することができる。光拡散シートの拡散特性は、等方性であっても良く、異方性であっても良い。一方、光反射シートには、白色の散乱反射シート、金属等の高い反射率を有する材料からなるシート、高い反射率を有する材料からなる薄膜（例えば金属薄膜）を表面層として含んだシート等を用いることができる。該光反射シートでの反射は、鏡面反射（正反射）でも良く、拡散反射でも良い。
【００３１】
図１に示すように、導光板３と壁Ｗとの間には、化粧シート５が介在されている。化粧シート５は、周囲との統一感を得られるために、壁Ｗ全面に貼り付けられることが好ましい。この化粧シート５には、紙系の化粧シートや樹脂系の化粧シート（例えば木質調化粧シート、鏡面調化粧シート）等を用いることができる。
【００３２】
このように構成されたエッジライト型の面光源装置１では、光源２から出射した光は、入光面３１を介して導光板３に入射する。導光板３に入射した光は、出光面３３と空気層との界面、又は裏面３４と空気層との界面で全反射を繰り返しながら、入光面３１側から対向面３２側に進み、更に出光面３３から部屋の内部に向かって出射する。
【００３３】
本実施形態において、導光板３は、出光面３３から出射される光の輝度分布が入光面３１側から対向面３２側（図１においては、上方から下方に）に行くにつれて漸減し、且つ対向面３２で輝度がほぼ０になるように、形成されている。具体的には、図２右側の輝度分布グラフに示すように、入光面３１での輝度が最も大きく、入光面３１から対向面３２に行くに従って下に凸の曲線を描くように輝度が緩やかに減少し、そして、対向面３２での輝度がほぼ０になっている。ここでの「ほぼ０」とは、完全に０になるのは勿論だが、輝度ピーク値に対して約２０％まで低減される範囲以内のことを含む意味である。
【００３４】
図２の左側に示すように、導光板３の内部には、光散乱粒子（光散乱材）３５が分散されている。光散乱粒子３５は、導光板３の内部に均一に分散されずに、図２右側の輝度分布グラフを得られるように、入光面３１から対向面３２に向かって分散濃度が徐々に減少している。ここで、光散乱粒子３５の分散はヘイズを増やさない程度で行われることが好ましい。光散乱粒子としては、炭酸カルシウム、硫酸バリウム、ガラス、ＴｉＯ2等のいずれかからなる無機系粒子、またはアクリル系樹脂、シリコーン系樹脂等からなる有機系粒子等が挙げられる。
【００３５】
なお、ここで、輝度分布グラフとしては、入光面３１から対向面３２に行くに従って下に凸の曲線を描くように輝度が緩やかに減少し、且つ対向面３２での輝度がほぼ０になっても良く、或いは、入光面３１から対向面３２に行くに従って下に輝度が直線状に緩やかに減少し、且つ対向面３２での輝度がほぼ０になっても良い。
【００３６】
このように構成された面光源装置１によれば、導光板３は、出光面３３から出射される光の輝度分布が入光面３１側から対向面３２側に行くにつれて漸減し、且つ対向面３２で輝度がほぼ０になるように形成されている。このため、出光面３３から出射される光は、入光面３１側で明るく、入光面３１側から対向面３２側に行くにつれて徐々に暗くなっていき、そして、対向面３２側で化粧シート５と溶け込むことができる。このように明暗のグラデーションを付加することで、面光源装置１の光源としての存在感を薄めることができるとともに、空間の雰囲気を演出することができる。
【００３７】
しかも、輝度分布が入光面３１側から対向面３２側に行くにつれて漸減するので、出光面３３での輝度の段差が生じずに、出光面３３での表面反射を抑制することができる。加えて、対向面３２での輝度がほぼ０になるので、該対向面３２からの漏れ光の発生を防止できる。その結果、面光源装置１の光源としての存在感を更に薄めることができ、該面光源装置１を違和感なく周囲に溶け込むことができるので、落ち着き感や快適感といった付加価値を空間にもたらすことが可能となり、空間の雰囲気を効果的に演出することができる。また、面光源装置１が非点灯のときは、導光板３を通して壁Ｗの壁面の意匠を観察できるので、面光源装置１の存在が意識しなくなる。その場合、導光板３のヘイズは１０％以下が望ましい。
【００３８】
なお、出光面３３から出射される光の輝度分布が入光面３１側から対向面３２側に行くにつれて漸減し、且つ対向面３２で輝度がほぼ０になるには、上述の導光板３の内部に光散乱粒子３５を散布させる方法のほか、様々な変形例が考えられる。
【００３９】
例えば図３に示す変形例では、導光板３Ａの出光面３３には光散乱粒子を含む光散乱層３６が設けられている。そして、出光面３３から出射される光が図２右側に示す輝度分布になるように、光散乱粒子の濃度が入光面３１側から対向面３２側に行くにつれて減少するようにされている。この光散乱層３６は、例えば出光面３３に塗布、印刷等の方法で設けられる。なお、ここで、ヘイズを増やさない程度で光散乱層３６を設けることが好ましい。また、光散乱材の濃度の減少は、光散乱層３６の厚みの減少で行われても良く、網点のようなバイナリーパターンの面積率の減少で行われても良い。
【００４０】
また、図４に示す変形例では、光散乱材に代えて導光板３Ｂの出光面３３を凹凸状とし、且つ入光面３１側から対向面３２側に行くにつれてその凹凸の散乱機能を漸次変化させることにより、出光面３３から出射される光が図２右側に示す輝度分布になるように実現する。ここで、散乱機能とは、単位長さ当たりで散乱させる光束の割合と定義されている。散乱機能を変える手段としては、例えば凹凸の形状、大きさ、密度のいずれかを変化させることが挙げられる。
【００４１】
具体的には、出光面３３には複数の凹部３８が設けられており、これによって出光面３３は凹凸面になる。そして、入光面３１側から対向面３２側に向かう方向（図４において、上下方向）において、凹部３８は、その幅が入光面３１側から対向面３２側に行くにつれて次第に大きくなるように形成されている。これによって、凹凸の散乱機能は、入光面３１側から対向面３２側に行くにつれて次第に小さくなる。このようにすることで、図２右側に示す輝度分布を得られる。なお、ここで、ヘイズを増やさない程度で出光面３３を凹凸面とすることが好ましい。また、凹凸として、プリズム、ピラミッド、すりガラスのようなランダムな凹凸、マイクロレンズ、それらの組み合わせなどが用いられる。
【００４２】
また、図５（ａ）に示す変形例では、光散乱材に代えて導光板３Ｃの形状を変えることにより、出光面３３から出射される光が図２右側に示す輝度分布になるように実現する。具体的には、導光板３Ｃは、出光面３３から裏面３４までの距離が入光面３１側からその反対側に行くにつれて減少するように、くさび状に形成されている。
【００４３】
裏面３４は入光面３１に対して直交するが、出光面３３は裏面３４と接近するように入光面３１に対して直線状に傾斜して形成されている。このため、入光面３１の反対側には、上述したように対向面３２が形成されずに、出光面３３と裏面３４との交差で稜線３７が形成されている。この稜線３７は、特許請求の範囲に記載の入光面の「反対側の末端」に相当するものである。このようにすることで、図２右側に示す輝度分布を得られる。
【００４４】
なお、図示しないが、本実施形態において、導光板３の出光面３３に光を透過する意匠シートを設けても良い。意匠シートは上述の化粧シート５と同じであることが望ましい。意匠シートは紙・樹脂・布等のいずれも含んでも良い。そして、意匠シートと出光面３３との間には、空気層、接着層、粘着層が介在されても良い。
【００４５】
また、導光板のくさび形状としては、上記図５（ａ）のほか、例えば図５（ｂ）に示すように、出光面３３Ａが曲面状に形成されても良い。または図５（ｃ）に示すように、稜線３７側に向かって出光面３３Ｂが曲線部分と、入光面３１に対する直交部分と、曲線部分との組み合わせにより形成されても良い。更に図５（ｄ）に示すように、稜線３７側に向かって出光面３３Ｃが入光面３１に対する直交部分と曲線部分との組み合わせにより形成されても良い。これらのいずれの場合において、出光面から裏面までの距離の減少率は、稜線３７側に向かって緩やかに減少する（言い換えれば、漸減する）ようになることが望ましい。これは、出光面から裏面までの距離の減少率が大きいほど、光を導光板外に出射する機能が大きく、減少率を大から小に変化させることで減少分布が実現できるからである。
【００４６】
＜第２実施形態＞
図６は第２実施形態の面光源装置を示す断面図である。本実施形態の面光源装置１Ａは、導光板３の対向面３２に光吸収層４１が更に設けられる点において、第１実施形態と異なっている。その他の構成は第１実施形態と同様であるので、重複説明を省略する。
【００４７】
光吸収層４１は、例えば光を吸収する顔料、炭素主体のガーボンブラック等を分散した樹脂を塗布することで形成されても良く、若しくはこれらの材料を含むフィルムを貼り付けることで形成されても良い。
【００４８】
本実施形態の面光源装置１Ａによれば、上述の第１実施形態と同様な作用効果を得られるほか、導光板３の対向面３２に光吸収層４１が設けられているので、仮に該対向面３２からの漏れ光が生じても、漏れ光が光吸収層４１に吸収されるので、外部への出射を防止できる。このため、対向面３２からの漏れ光の発生をより確実に防止することができる。加えて、対向面３２からの反射光により対光面近傍の輝度の上昇を防ぐことが可能となる。
【００４９】
＜第３実施形態＞
図７は第３実施形態の面光源装置を示す断面図である。本実施形態の面光源装置１Ｂは、導光板３の対向面３２に光反射層４２が更に設けられる点において、第１実施形態と異なっている。その他の構成は第１実施形態と同様であるので、重複説明を省略する。
【００５０】
光反射層４２は、上述の光反射シートと同じものを用いても良く、又はアルミや銀などの金属、誘電体多層膜を成膜することで形成されても良く、若しくは金属粒子や白顔料を分散した樹脂を塗布することで形成されても良く、若しくはこれらの材料を含むフィルムを貼り付けることで形成されても良い。
【００５１】
本実施形態の面光源装置１Ｂによれば、上述の第１実施形態と同様な作用効果を得られるほか、導光板３の対向面３２に光反射層４２が設けられているので、仮に該対向面３２からの漏れ光が生じても、漏れ光が光反射層４２によって導光板３の内部に折り返されるので、外部への出射を防止できる。このため、対向面３２からの漏れ光の発生をより確実に防止することができる。また、光反射層４２の効果として、外側から見たときに化粧シート５の意匠が反射して見えるので、境目が目立たなくなる。
【００５２】
＜第４実施形態＞
図８は第４実施形態の面光源装置を示す断面図である。本実施形態の面光源装置１Ｃは、導光板３の対向面３２に光反射層４２及び壁材部４３が更に設けられる点において、第１実施形態と異なっている。その他の構成は第１実施形態と同様であるので、重複説明を省略する。
【００５３】
具体的には、対向面３２には、内側から外側に向かって光反射層４２と壁材部４３とが順に形成されている。壁材部４３は、例えば壁Ｗと同じ材料によってシート状に形成されており、光反射層４２を覆うように接着等で光反射層４２と貼り付けられている。
【００５４】
本実施形態の面光源装置１Ｃによれば、上述の第１実施形態と同様な作用効果を得られるほか、導光板３の対向面３２に光反射層４２が設けられているので、仮に該対向面３２からの漏れ光が生じても、漏れ光が光反射層４２によって導光板３の内部に折り返されるので、対向面３２からの漏れ光の発生をより確実に防止することができる。更に、光反射層４２を覆う壁材部４３が設けられるので、対向面３２を含む導光板３の下部の突出感を低減する効果を奏する。その結果、導光板３の下部が目立たなくなり、周囲と溶け込むことが可能になる。
【００５５】
＜第５実施形態＞
図９は第５実施形態の面光源装置を示す断面図である。本実施形態の面光源装置１Ｄは、導光板３の対向面３２がテーパ状に形成され、且つ出光面３３及び対向面３２に無反射層４４が設けられる点において、第１実施形態と異なっている。その他の構成は第１実施形態と同様であるので、重複説明を省略する。
【００５６】
図９に示すように、入光面３１の反対側の対向面３２は、壁Ｗ側に向かって傾斜するようにテーパ状に形成されている。そして、出光面３３及び対向面３２には、無反射層４４が塗布されている。無反射層４４には、既に周知される技術を用いることができる。また、ここで、裏面３４にも無反射層４４を更に設けても良い。また、無反射層４４に代えて低反射層を用いても良い。
【００５７】
本実施形態の面光源装置１Ｄによれば、上述の第１実施形態と同様な作用効果を得られるほか、対向面３２が壁Ｗ側に向かって傾斜するようにテーパ状に形成されているので、対向面３２を含む導光板３の下部の突出感を低減する効果を奏する。その結果、導光板３の下部が目立たなくなり、周囲と溶け込むことが可能になる。更に、出光面３３及び対向面３２に無反射層４４が設けられるので、これらの面における表面反射の発生を更に抑制することができる。
【００５８】
＜第６実施形態＞
図１０は第６実施形態の面光源装置を示す断面図である。本実施形態の面光源装置１Ｅは、光源２及び導光板３が補助建材６によって保持され、且つ導光板３Ｃがくさび状に形成される点において、第１実施形態と異なっている。その他の構成は第１実施形態と同様であるので、重複説明を省略する。
【００５９】
具体的には、光源２及び導光板３Ｃは、補助建材６によって一体化されるとともに、該補助建材６を介して壁Ｗに取り付けられている。光源２は、長尺状の光源基板２ａと、該光源基板２ａの下表面に一定の間隔で実装された複数の点状ＬＥＤ２ｂとからなる。補助建材６は、レール状に形成され、光源基板２ａの上表面と対面し、該光源基板２ａの長手方向に延設される天板部６１と、天板部６１の両端から垂設されて互いに対向する幕板部６２と裏板部６３とを有する。
【００６０】
補助建材６は、幕板部６２が部屋の内部側、裏板部６３が壁Ｗ側にそれぞれ向くように、接着やネジ止め等で壁Ｗに固定されている。そして、幕板部６２の略中間位置及び裏板部６３の略中間位置には、内側に突出して光源基板２ａの下表面を支持する支持爪部６４ａ，６４ｂがそれぞれ形成されている。更に、幕板部６２の下端部及び裏板部６３の下端部には、内側に突出して導光板３の溝部３３ａ，３４ａ（後述する）にそれぞれ係合する係合爪部６５ａ，６５ｂがそれぞれ形成されている。
【００６１】
光源２は、その光源基板２ａの下表面が補助建材６の支持爪部６４ａ，６４ｂに当接することで、該補助建材６に支持されている。一方、導光板３Ｃは、上述したように、出光面３３から裏面３４までの距離が入光面３１側からその反対側に行くにつれて小さくなるように、くさび状に形成されている。裏面３４は入光面３１に対して直交するが、出光面３３は裏面３４と接近するように入光面３１に対して傾斜して形成されている。そして、出光面３３及び裏面３４には、入光面３１の長手方向に沿って延びる溝部３３ａ，３４ａがそれぞれ形成されている。導光板３Ｃは、溝部３３ａ，３４ａと補助建材６の係合爪部６５ａ，６５ｂとの係合によって、補助建材６に支持されている。また、導光板３Ｃは、その裏面３４と化粧シート５との間に隙間が生じないように、化粧シート５と近接されている。
【００６２】
本実施形態の面光源装置１Ｅによれば、上述の第１実施形態と同様な作用効果を得られるほか、導光板３Ｃはその裏面３４と化粧シート５との間に隙間が生じないように化粧シート５と近接されているので、導光板３Ｃと壁Ｗとの間に隙間の発生を抑制することができ、面光源装置１Ｅの薄型化が図り易くなる。
【００６３】
＜第７実施形態＞
図１１は第７実施形態の面光源装置を示す断面図である。本実施形態の面光源装置１Ｆは、補助建材６が化粧シート５を介して壁Ｗに取り付けられる点において、第６実施形態と異なっている。その他の構成は第６実施形態と同様であるので、重複説明を省略する。
【００６４】
図１１に示すように、化粧シート５の外表面と、補助建材６の裏板部６３の表面と、導光板３Ｃの裏面３４とが面一になるように密接されている。本実施形態の面光源装置１Ｆによれば、上述の第６実施形態と同様な作用効果を得られるほか、化粧シート５の外表面と、補助建材６の裏板部６３の表面と、導光板３Ｃの裏面３４とが面一になるので、化粧シート５を壁Ｗに貼り付けた後に、補助建材６及び導光板３Ｃを設置することができ、面光源装置１Ｆの取付作業を容易に行える。
【００６５】
以上、本開示の実施形態について詳述したが、本発明は、上記の実施形態に限定されるものではなく、特許請求の範囲に記載された本発明の精神を逸脱しない範囲で、種々の設計変更を行うことができるものである。例えば、本発明は上述の各実施形態及び各変形例の組み合わせにも適用される。
【符号の説明】
【００６６】
１，１Ａ，１Ｂ，１Ｃ，１Ｄ，１Ｅ，１Ｆ    面光源装置
２    光源
２ａ    光源基板
２ｂ    点状ＬＥＤ
３，３Ａ，３Ｂ，３Ｃ    導光板
４，６    補助建材
５    化粧シート
３１    入光面
３２    対向面
３３，３３Ａ，３３Ｂ，３３Ｃ    出光面
３４    裏面
３５    光散乱粒子（光散乱材）
３６    光散乱層
３８    凹部
４１    光吸収層
４２    光反射層
４４    無反射層
６１    天板部
６２    幕板部
６３    裏板部
Ｗ    壁
【図１】
2018206564.tif 000003
【図２】
2018206564.tif 000004
【図３】
2018206564.tif 000005
【図４】
2018206564.tif 000006
【図５】
2018206564.tif 000007
【図６】
2018206564.tif 000008
【図７】
2018206564.tif 000009
【図８】
2018206564.tif 000010
【図９】
2018206564.tif 000011
【図１０】
2018206564.tif 000012
【図１１】
2018206564.tif 000013